(57)【要約】【課題】複数の認証入力で利用者の認証を行う認証装置、および認証装置を備える什器、ならびに認証案内方法において、複数の認証入力に順番付けをした上で利便性を高める。【解決手段】複数の認証入力手段の中から第一の有効認証入力手段を選択して認証入力可能とし、かつ複数の告知手段の中から第一の有効認証入力手段に対応する第一の有効告知手段を選択して利用者に告知を行い、第一の有効認証入力手段への認証入力後には、残余の認証入力手段の中から第二の有効認証入力手段を選択して認証入力可能とし、かつ残余の告知手段の中から第二の有効認証入力手段に対応する第二の有効告知手段を選択して利用者に告知を行う。【選択図】図９
2018073295.tif 000002
【特許請求の範囲】
【請求項１】
複数の認証入力手段と、
各認証入力手段に対応して設けられ、対応する認証入力手段が認証入力可能であることを利用者に告知する複数の告知手段と、
前記複数の認証入力手段および複数の告知手段を制御する制御部と、を備え、
前記制御部は、
前記複数の認証入力手段の中から第一の有効認証入力手段を選択して認証入力可能とし、かつ前記複数の告知手段の中から前記第一の有効認証入力手段に対応する第一の有効告知手段を選択して利用者に告知を行い、
前記第一の有効認証入力手段への認証入力後には、残余の認証入力手段の中から第二の有効認証入力手段を選択して認証入力可能とし、かつ残余の告知手段の中から前記第二の有効認証入力手段に対応する第二の有効告知手段を選択して利用者に告知を行う、認証装置。
【請求項２】
前記複数の告知手段として各認証入力手段に対応する告知表示を示す表示部を備え、
前記制御部は、前記第一の有効認証入力手段の認証入力がなされた後、前記表示部における前記第一の有効告知手段の告知表示を消す、請求項１に記載の認証装置。
【請求項３】
前記複数の告知手段として各認証入力手段に対応する告知表示を示す表示部を備え、
前記制御部は、前記第一の有効認証入力手段の認証入力がなされた後、前記第二の有効認証入力手段を認証入力可能とし、かつ前記表示部に前記第二の有効告知手段の告知表示を示す、請求項１又は２に記載の認証装置。
【請求項４】
前記複数の告知手段として各認証入力手段に対応する告知表示を示す表示部を備え、
前記制御部は、前記第一の有効認証入力手段の認証入力がなされた後、前記第一の有効認証入力手段の認証が取れていなくても、前記第二の有効認証入力手段を認証入力可能とし、かつ前記表示部に前記第二の有効告知手段の告知表示を示す、請求項１から３の何れか一項に記載の認証装置。
【請求項５】
前記複数の告知手段として各認証入力手段に対応する告知表示を示す表示部を備え、
前記制御部は、前記第一の有効認証入力手段の認証が取れた場合に、前記表示部における前記第一の有効告知手段の告知表示を消す、請求項１に記載の認証装置。
【請求項６】
前記複数の告知手段として各認証入力手段に対応する告知表示を示す表示部を備え、
前記制御部は、前記第一の有効認証入力手段の認証が取れた場合に、前記第二の有効認証入力手段を認証入力可能とし、かつ前記表示部に前記第二の有効告知手段の告知表示を示す、請求項１又は４に記載の認証装置。
【請求項７】
前記表示部は、各認証入力手段の認証入力を可能とするタッチパネルであり、
前記複数の認証入力手段は、パスワードの入力を認証入力とするパスワード入力手段と、認証カードの情報入力を認証入力とするカード入力手段と、を備え、
前記パスワード入力手段の告知表示は、前記タッチパネルに表示されるパスワード入力キーであり、前記カード入力手段の告知表示は、前記タッチパネルに表示されるカード読み取りマークである、請求項２から６の何れか一項に記載の認証装置。
【請求項８】
請求項１から７の何れか一項に記載の認証装置を開閉体に備える、什器。
【請求項９】
複数の認証入力手段の中から第一の有効認証入力手段を選択して認証入力可能とし、かつ複数の告知手段の中から前記第一の有効認証入力手段に対応する第一の有効告知手段を選択して利用者に告知を行い、
前記第一の有効認証入力手段への認証入力後には、残余の認証入力手段の中から第二の有効認証入力手段を選択して認証入力可能とし、かつ残余の告知手段の中から前記第二の有効認証入力手段に対応する第二の有効告知手段を選択して利用者に告知を行う、認証案内方法。
【発明の詳細な説明】
【技術分野】
【０００１】
本発明は、認証装置、および認証装置を備える什器、ならびに認証案内方法に関する。
【背景技術】
【０００２】
従来から、利用が容易でありながら比較的高い安全性を確保できる個人認証装置として、指などによるキー入力認証と非接触カードを用いたカード認証とを組み合わせた認証装置が知られている（例えば特許文献１参照）。
そのような認証装置においては、通常、認証のために入力されるキー（番号など）が表示されたキー入力部と、非接触カードを近接させるカード認証部とを備えている。
【先行技術文献】
【特許文献】
【０００３】
【特許文献１】実開平０５−００６４６８号公報
【発明の概要】
【発明が解決しようとする課題】
【０００４】
上記のように、キー入力による認証と非接触カードによる認証との２工程で認証を行う認証装置の場合、キー入力認証とカード認証との操作順が決められている。
しかしながら、キー入力部とカード認証部とが近接した認証装置において、認証入力に順番付けがなされると、キー入力認証とカード認証とのどちらを先に行う必要があるのか利用者が迷うことがあり、ユーザビリティに欠けていた。
【０００５】
本願発明は、上記の技術的課題に鑑みてなされたもので、複数の認証入力で利用者の認証を行う認証装置、および認証装置を備える什器、ならびに認証案内方法において、複数の認証入力に順番付けをした上で利便性を高めることを目的とする。
【課題を解決するための手段】
【０００６】
上記課題の解決手段として、本発明は、複数の認証入力手段と、各認証入力手段に対応して設けられ、対応する認証入力手段が認証入力可能であることを利用者に告知する複数の告知手段と、前記複数の認証入力手段および複数の告知手段を制御する制御部と、を備え、前記制御部は、前記複数の認証入力手段の中から第一の有効認証入力手段を選択して認証入力可能とし、かつ前記複数の告知手段の中から前記第一の有効認証入力手段に対応する第一の有効告知手段を選択して利用者に告知を行い、前記第一の有効認証入力手段への認証入力後には、残余の認証入力手段の中から第二の有効認証入力手段を選択して認証入力可能とし、かつ残余の告知手段の中から前記第二の有効認証入力手段に対応する第二の有効告知手段を選択して利用者に告知を行う、認証装置を提供する。
【０００７】
この構成によれば、複数の認証入力手段を備えてセキリュティ性を高めた上で、複数の認証入力手段に対してどの順番で認証入力を行うか（複数の認証入力手段の何れが認証入力可能な状態にあるか）については、認証入力手段毎に設けられた複数の告知手段によって認証入力の順番にある認証入力手段が告知されるため、利用者が操作の順番に迷うことなく認証入力を行うことができる。すなわち、複数の認証入力手段を備えるとともにこれらに対する認証入力に順番付けをしながらも、使い勝手のよい認証装置を提供することができる。
【０００８】
本発明において、前記複数の告知手段として各認証入力手段に対応する告知表示を示す表示部を備え、前記制御部は、前記第一の有効認証入力手段の認証入力がなされた後、前記表示部における前記第一の有効告知手段の告知表示を消す、としてもよい。
この場合、第一の有効認証入力手段の認証入力後に第一の有効告知手段が非表示になるので、利用者に第一の有効認証入力手段の認証入力が終了したことを素早く案内することができる。
【０００９】
本発明において、前記複数の告知手段として各認証入力手段に対応する告知表示を示す表示部を備え、前記制御部は、前記第一の有効認証入力手段の認証入力がなされた後、前記第二の有効認証入力手段を認証入力可能とし、かつ前記表示部に前記第二の有効告知手段の告知表示を示す、としてもよい。
この場合、第一の有効認証入力手段の認証入力後、第二の有効認証入力手段が認証入力可能となり、かつ表示部に第二の有効告知手段が表示されるので、利用者に第二の有効認証入力手段の認証入力に移行したことを素早く案内することができる。すなわち、第一の有効認証入力手段の認証入力後に速やかに第二の有効認証入力手段の認証入力に移行し、利便性を高めることができる。
【００１０】
本発明において、前記複数の告知手段として各認証入力手段に対応する告知表示を示す表示部を備え、前記制御部は、前記第一の有効認証入力手段の認証入力がなされた後、前記第一の有効認証入力手段の認証が取れていなくても、前記第二の有効認証入力手段を認証入力可能とし、かつ前記表示部に前記第二の有効告知手段の告知表示を示す、としてもよい。
この場合、第一の有効認証入力手段の認証が取れたか否かに関わらず、第二の有効認証入力手段が認証入力可能となり、かつ表示部に第二の有効告知手段が表示されるので、利用者に第二の有効認証入力手段の認証入力に移行したことを素早く案内するとともに、第一の有効認証入力手段の認証が取れたか否かの情報を第三者に与えないので、セキュリティ性をより一層高めることができる。
【００１１】
本発明において、前記複数の告知手段として各認証入力手段に対応する告知表示を示す表示部を備え、前記制御部は、前記第一の有効認証入力手段の認証が取れた場合に、前記表示部における前記第一の有効告知手段の告知表示を消す、としてもよい。
この場合、第一の有効認証入力手段の認証が取れた場合に限り、第一の有効告知手段が非表示になるので、利用者に第一の有効認証入力手段の認証が取れたことを素早く案内することができる。一方で、第一の有効認証入力手段の認証が取れなかった場合には、第一の有効告知手段が表示されたままとなるので、利用者に第一の有効認証入力手段の認証入力が再度必要なことをスムーズに案内することができる。
【００１２】
本発明において、前記複数の告知手段として各認証入力手段に対応する告知表示を示す表示部を備え、前記制御部は、前記第一の有効認証入力手段の認証が取れた場合に、前記第二の有効認証入力手段を認証入力可能とし、かつ前記表示部に前記第二の有効告知手段の告知表示を示す、としてもよい。
この場合、第一の有効認証入力手段の認証が取れた場合に限り、第二の有効認証入力手段が認証入力可能となり、かつ表示部に第二の有効告知手段が表示されるので、利用者に第二の有効認証入力手段の認証入力に移行したことを素早く案内することができる。また、第一の有効認証入力手段の認証が取れた後に、次の工程である第二の有効認証入力手段の認証入力に利用者を案内するので、利用者が一連の認証入力を行った後に第一の有効認証入力手段の認証入力まで戻るようなことがなく、一連の認証入力をスムーズに行うことができる。
【００１３】
本発明において、前記表示部は、各認証入力手段の認証入力を可能とするタッチパネルであり、前記複数の認証入力手段は、パスワードの入力を認証入力とするパスワード入力手段と、認証カードの情報入力を認証入力とするカード入力手段と、を備え、前記パスワード入力手段の告知表示は、前記タッチパネルに表示されるパスワード入力キーであり、前記カード入力手段の告知表示は、前記タッチパネルに表示されるカード読み取りマークである、としてもよい。
この場合、パスワード認証とカード認証との二工程で認証を行う認証装置において、規定の順番に基づき最初に認証を行う認証入力手段が選択されると、選択した認証入力手段の認証入力に係る告知表示（パスワード入力キーまたはカード読み取りマークの一方）のみがタッチパネルに表示される。このとき、次に認証を行う認証入力手段の認証入力に係る告知表示（パスワード入力キーまたはカード読み取りマークの他方）は非表示のままとなる。このため、利用者は自然に最初の認証入力に案内される。そして、最初の認証入力の後に次の認証入力の告知表示を示すことで、利用者は迷うことなく次の認証入力に案内される。すなわち、利用者が操作手順に迷うことなく、パスワード認証およびカード認証を決められた順番で操作することが可能となり、高い利便性を発揮させることができる。
【００１４】
本発明は、上記何れかの認証装置を開閉体に備える、什器を提供する。
この構成によれば、認証装置が該認証装置を備えた開閉体を開くための認証用であることが明確であり、かつ什器の外側に臨む開閉体に認証装置を配置することで、利用者の使い勝手をより一層向上させることができる。また、認証装置の告知手段が告知表示を示すものであっても、作動前には告知表示を消してすっきりした外観とすることが可能となり、高い意匠性を得ることができる。
【００１５】
本発明は、複数の認証入力手段の中から第一の有効認証入力手段を選択して認証入力可能とし、かつ複数の告知手段の中から前記第一の有効認証入力手段に対応する第一の有効告知手段を選択して利用者に告知を行い、前記第一の有効認証入力手段への認証入力後には、残余の認証入力手段の中から第二の有効認証入力手段を選択して認証入力可能とし、かつ残余の告知手段の中から前記第二の有効認証入力手段に対応する第二の有効告知手段を選択して利用者に告知を行う、認証案内方法を提供する。
この構成によれば、複数の認証入力手段を備えてセキリュティ性を高めた上で、複数の認証入力手段に対してどの順番で認証入力を行うか（複数の認証入力手段の何れが認証入力可能な状態にあるか）については、認証入力手段毎に設けられた複数の告知手段によって認証入力の順番にある認証入力手段が告知されるため、利用者が操作の順番に迷うことなく認証入力を行うことができる。すなわち、複数の認証入力手段を備えるとともにこれらに対する認証入力に順番付けをしながらも、使い勝手のよい認証装置を提供することができる。
【発明の効果】
【００１６】
本発明によれば、複数の認証入力で利用者の認証を行う認証装置、および認証装置を備える什器、ならびに認証案内方法において、複数の認証入力に順番付けをした上で利便性を高めることができる。
【図面の簡単な説明】
【００１７】
【図１】本発明の実施形態における什器の斜視図である。
【図２】図１のＩＩ−ＩＩ断面図である。
【図３】本実施形態の認証装置の分解斜視図である。
【図４】上記什器の開閉扉を開いてその裏側を見た斜視図である。
【図５】上記認証装置の起動前におけるタッチパネルの正面図である。
【図６】上記タッチパネルにパスワード入力キーが表示された状態の正面図である。
【図７】上記タッチパネルにカード読み取りマークが表示された状態の正面図である。
【図８】上記タッチパネルにパスワード入力キーおよびカード読み取りマークが表示された状態の正面図である。
【図９】上記認証装置の制御部で行う処理を示すフローチャートである。
【図１０】本実施形態の変形例における図９に相当するフローチャートである。
【図１１】本実施形態の他の変形例における図９に相当するフローチャートである。
【図１２】上記認証装置の概略構成図である。
【発明を実施するための形態】
【００１８】
以下、本発明の実施形態について図面を参照して説明する。
＜什器＞
図１に示す什器１は、執務室等で用いられるオフィス収納（キャビネット）である。什器１は、床上に載置される直方体形状の筐体２と、筐体２の前面開口を開閉する複数の開閉体３と、を備えている。各開閉体３は、什器１における垂直な前面に沿う板状をなしている。図１において、筐体２における図中左側の前面開口の開閉体３は、いわゆる観音開きの一対の開閉扉３ａ１とされ、筐体２の上下端に渡って設けられている。筐体２における図中左右中央の前面開口は、上下二段に区分されている。筐体２の左右中央において、上段の開閉体３および下段の開閉体３は、それぞれ観音開きの一対の開閉扉３ａ２とされている。筐体２における図中右側の前面開口は、上下二段に区分されている。筐体２の右側において、上段の開閉体３は、観音開きの一対の開閉扉３ａ３とされ、下段の開閉体３は、上下三段の抽斗３ｃの前板３ｂとされている。
【００１９】
図１で左右一対をなす各開閉扉３ａ１〜３ａ３の一方（図中右側）には、その前面の上下中間部に把手４ａが設けられている。把手４ａは、該把手４ａが設けられた開閉扉３ａ１〜３ａ３のラッチ機構（不図示）を解除操作可能とする。把手４ａが設けられた開閉扉３ａ１〜３ａ３の前面には、例えば把手４ａの上方または下方に離間して、認証装置１０が設けられている。認証装置１０は、該認証装置１０が設けられた開閉扉３ａ１〜３ａ３を特定の利用者が開閉可能とするために、特定の利用者の認証を行う。認証装置１０は、特定の利用者を認証すると、該認証装置１０が設けられた開閉扉３ａ１〜３ａ３の電気式施解錠装置５（図４参照）を解錠させる。開閉扉３ａ１〜３ａ３の前面で例えば把手４ａの下方には、電気式施解錠装置５を強制的に施解錠可能な機械式施解錠装置６（キーシリンダ）が設けられている。
【００２０】
図１で右下側の上下三段の前板３ｂには、それぞれ前面上部の左右中央部に把手４ｂが設けられている。各把手４ｂは、該把手４ｂが設けられた前板３ｂのラッチ機構（不図示）を解除操作可能とする。上段の前板３ｂの前面には、例えば把手４ｂの右方に隣接して、認証装置１０が設けられている。認証装置１０は、上下三段の前板３ｂを特定の利用者が開閉可能とするために、特定の利用者の認証を行う。認証装置１０は、特定の利用者を認証すると、上下三段の前板３ｂに渡る電気式施解錠装置５を解錠させる。上段の前板３ｂの上方には、筐体２の仕切り板２ａの前面が露出し、この仕切り板２ａの前面には、電気式施解錠装置５を強制的に施解錠可能な機械式施解錠装置６（キーシリンダ）が設けられている。
【００２１】
図４を併せて参照し、電気式施解錠装置５は、什器１に搭載された一次電池もしくは二次電池（以下、バッテリ７という。）に電気的に接続されている。バッテリ７は、例えば開閉体３の裏面側に設けられたバッテリケース８内に保持されている。バッテリ７は、対応する開閉体３に設けられた認証装置１０にも電気的に接続されている。電気式施解錠装置５および認証装置１０の電源としてバッテリ７を備えることで、ＡＣ１００Ｖ等の外部電源（商用電源）の接続を必要とせず、配線の簡略化及び什器レイアウトの容易化が図られる。
【００２２】
電気式施解錠装置５は、対応する開閉体３の認証装置１０で利用者の認証が取られると、認証装置１０からの指令により開閉体３を解錠し、把手４ａ，４ｂの操作によって対応する開閉体３を開操作可能とする。電気式施解錠装置５は、対応する開閉体３が閉じられると、自動的に施錠状態に戻る。バッテリ７の蓄電残量が不足して電気式施解錠装置５を駆動できない場合には、機械式施解錠装置６によって手動で施解錠することが可能である。
【００２３】
＜認証装置＞
図２、図３、図１２に示すように、認証装置１０は、複数の認証入力手段１１，１２と、認証入力手段１１，１２毎に設けられ、対応する認証入力手段が認証入力可能であることを利用者に告知する複数の告知手段１５，１６と、複数の認証入力手段１１，１２および複数の告知手段１５，１６を制御し、かつ複数の認証入力手段１１，１２に認証入力を行う順番を規定した制御部１８と、を備えている。本実施形態の複数の認証入力手段１１，１２は、パスワード入力を認証入力とするパスワード入力手段１１と、認証カードの情報入力を認証入力とするカード入力手段１２と、で構成されている。本実施形態の複数の告知手段１５，１６は、パスワード入力が可能なことを利用者に告知するパスワード入力告知手段１５と、カード情報の読み取りが可能なことを利用者に告知するカード読み取り告知手段１６と、で構成されている。
【００２４】
また、認証装置１０は、複数の認証入力手段１１，１２と複数の告知手段１５，１６とを兼ねる単一のタッチパネル２０を備えている。タッチパネル２０は、各認証入力手段１１，１２の認証入力および各告知手段１５，１６の告知表示を可能としている。
図２を参照し、タッチパネル２０は、平面視矩形状をなし、開閉体３の前面３ｄに形成された矩形状の開口３ｅに整合するように、かつ開閉体３の前面３ｄと平行となるように配置されている。認証装置１０におけるタッチパネル２０以外の部分は、対応する開閉体３の前面２ｄを形成する板金の裏側に収まっている。
【００２５】
図３、図１２を参照し、パスワード入力告知手段１５は、タッチパネル２０のパスワード入力キー２１を発光させる。本実施形態では、パスワード入力キー２１の発光は、タッチパネル２０の裏面の入力キー印刷部１５ａとタッチパネル２０の裏面側に配置された第一光源（第一ＬＥＤ、以下、ＬＥＤ１５ｂという。）とで行われる。
カード読み取り告知手段１６は、タッチパネル２０のカード読み取りマーク２２を発光させる。本実施形態では、カード読み取りマーク２２の発光は、タッチパネル２０の裏面の読み取りマーク印刷部１６ａとタッチパネル２０の裏面側に配置された第二光源（第二ＬＥＤ、以下、ＬＥＤ１６ｂという。）とで行われる。
【００２６】
パスワード入力キー２１は、パスワード入力手段１１が認証入力可能のとき、対応するＬＥＤ１５ｂの点灯により発光し、外部から視認可能となる（図６、図８参照）。パスワード入力キー２１は、パスワード入力手段１１が認証入力不能のとき、対応するＬＥＤ１５ｂの消灯により発光を停止し、外部から視認不能（相対的に目立たなくなった状態を含む）となる（図５、図７参照）。
カード読み取りマーク２２は、カード入力手段１２が認証入力可能のとき、対応するＬＥＤ１６ｂの点灯により発光し、外部から視認可能となる（図７、図８参照）。カード読み取りマーク２２は、カード入力手段１２が認証入力不能のとき、対応するＬＥＤ１６ｂの消灯により発光を停止し、外部から視認不能（相対的に目立たなくなった状態を含む）となる（図５、図６参照）。
【００２７】
図５〜図８を参照し、パスワード入力キー２１は、タッチパネル２０の平面視矩形状の内側に沿うように、縦横四つずつ並ぶ。パスワード入力キー２１は、「１」から「９」および「０」のテンキー２１ａ、「Ｃ」で示されるクリアキー２１ｂ、ならびに「＃」で示されるエンターキー２１ｃで構成されている。
カード読み取りマーク２２は、タッチパネル２０の中央部（パスワード入力キー２１に囲まれた部位）に配置されている。
【００２８】
平面視矩形状に配列されたパスワード入力キー２１の例えば一角部（図では左上の角部）には、エンターキー２１ｃが配置されている。本実施形態では、エンターキー２１ｃが認証装置１０の起動スイッチ２１ｃ１として用いられる。なお、パスワード入力キー２１の並びは図の並びに限らない。また、起動スイッチ２１ｃ１として用いるエンターキー２１ｃの配置も、図と異なる角部であったり角部以外であってもよい。さらに、エンターキー２１ｃ以外のキーを起動スイッチとして用いたり、専用の起動スイッチを設けてもよい。
【００２９】
タッチパネル２０は、起動スイッチ２１ｃ１の位置に、例えば矩形状のマーク２１ｃ２を有している。マーク２１ｃ２は、ＬＥＤ１５ｂ，１６ｂの発光によらず外部から視認可能である。このマーク２１ｃ２により、起動スイッチ２１ｃ１は、その位置を外部から常時視認可能である。
【００３０】
図２、図３を参照し、タッチパネル２０は、開閉体３の外面に露出する表面シート２４と、表面シート２４の裏面側（什器内側）に重ねられた電極シート２５と、を備えている。
表面シート２４は、平面視矩形状をなし、透光性および導電性を有している。表面シート２４の裏面には、パスワード入力キー２１およびカード読み取りマーク２２が印刷されている。パスワード入力キー２１およびカード読み取りマーク２２は、ＬＥＤ光により文字や図柄自体を発光させる形態か、あるいは文字や図柄を個々に囲う領域を発光させる形態とされている。
【００３１】
電極シート２５は、表面シート２４と重なる平面視矩形状をなし、透光性および導電性を有している。電極シート２５は、静電容量方式の検出シートであり、複数の電極部２５ａを備えている。複数の電極部２５ａは、パスワード入力キー２１の個々のキー位置に対向している。各電極部２５ａは、表面シート２４のキー位置に利用者の指先等が触れると、静電容量を変化させる。この静電容量の変化を検出することで、パスワード入力キー２１の何れのキーに利用者が触れたかを検出可能である。各電極部２５ａは、ＬＥＤ１５ｂの光を透過可能とされている。
【００３２】
表面シート２４および電極シート２５は、互いに一体的に重合した状態で、ガイド部材２６の表面に取り付けられている。ガイド部材２６は、例えば半透明のアクリル板からなる。ガイド部材２６の裏面には、パスワード入力キー２１の個々のキー位置に対向するように、有底円筒状の凹部２７が複数形成されている。各凹部２７は、例えば座刳り加工により互いに独立して形成され、ガイド部材２６の表面側に円形の薄板部２７ａを形成している。各凹部２７の薄板部２７ａは、各凹部２７内に臨んだＬＥＤ１５ｂの光を拡散させて円形に発光するとともに、隣接する凹部２７への光の漏れを制限している。
【００３３】
また、ガイド部材２６の裏面には、カード読み取りマーク２２の位置に対向するように、平面視矩形状の中央凹部２７ｂが形成されている。中央凹部２７ｂは、各凹部２７よりも大形をなし、各凹部２７から独立して座刳り状に形成され、ガイド部材２６の表面側に矩形の薄板部２７ｃを形成している。中央凹部２７ｂの薄板部２７ｃは、該中央凹部２７ｂ内に臨んだ例えば複数（４つ）のＬＥＤ１６ｂの光を拡散させて矩形に発光するとともに、周囲の凹部２７への光の漏れを制限している。
【００３４】
ガイド部材２６の裏面には、複数のＬＥＤ１５ｂ，１６ｂが実装された基板２８が取り付けられている。複数のＬＥＤ１５ｂ，１６ｂは、基板２８の表面に実装され、この基板２８の表面がガイド部材２６の裏面に重なる。複数のＬＥＤ１５ｂは、ガイド部材２６の複数の凹部２７にそれぞれ対向する位置に設けられ、複数のＬＥＤ１６ｂは、ガイド部材２６の単一の中央凹部２７ｂに対向する位置に設けられている。ガイド部材２６の各凹部２７は、表面シート２４におけるパスワード入力キー２１の個々の文字に対向して設けられ、中央凹部２７ｂは、表面シート２４におけるカード読み取りマーク２２の図柄に対向して設けられている。カード読み取りマーク２２の図柄は、パスワード入力キー２１の個々の文字よりも大形である。
【００３５】
表面シート２４のパスワード入力キー２１に対向するＬＥＤ１５ｂおよびカード読み取りマーク２２に対向するＬＥＤ１６ｂが発光すると、ガイド部材２６の各凹部２７，２７ｂの薄板部２７ａ，２７ｃがそれぞれ発光する。すると、表面シート２４のパスワード入力キー２１およびカード読み取りマーク２２が適宜発光し、パスワード入力キー２１およびカード読み取りマーク２２が外部から視認可能となる。パスワード入力キー２１およびカード読み取りマーク２２に対向するＬＥＤ１５ｂ，１６ｂの発光が無くなると、表面シート２４のパスワード入力キー２１およびカード読み取りマーク２２の発光が消えて、パスワード入力キー２１およびカード読み取りマーク２２を外部から視認不能となる。
【００３６】
基板２８の裏面側には、認証カードとして非接触のＩＣカードの情報を読み取るアンテナ２９が配置されるとともに、制御部１８を含む制御装置３０が配置されている。制御装置３０は、ＬＥＤ１５ｂ，１６ｂの制御、キー入力の検知、非接触カードの読み取り、キー入力検知結果や非接触カードの読み取り結果を基にした判断、及び認証結果に基づいた電気式施解錠装置５への制御出力等を行う。制御装置３０は、電池容量の監視、認証ログの保護、および認証ログの外部への出力等の機能も有している。認証装置１０における開閉体３の裏側には、制御装置３０等を覆うカバー３０ａが取り付けられている。
【００３７】
図１２を参照し、制御部１８は、パスワード判定部３１、パスワード認証駆動部３２、カード判定部３３、カード認証駆動部３４、を備えている。
パスワード判定部３１は、パスワード入力手段１１としての電極部２５ａで検出したパスワードの正否を判定する。カード判定部３３は、カード入力手段１２としてのアンテナ２９で検出したカード情報の正否を判定する。パスワード認証駆動部３２およびカード認証駆動部３４は、複数の認証入力手段１１，１２および告知手段１５，１６の作動を制御する。
【００３８】
認証装置１０は、開閉体３の施錠時には休止状態（起動前状態）となる。認証装置１０の起動前には、複数の認証入力手段１１，１２が認証入力不能となる。このとき、複数の告知手段１５，１６による告知は停止され（すなわちＬＥＤ１５ｂ，１６ｂは消灯し）、タッチパネル２０の平坦な前面には、起動スイッチ２１ｃ１の位置を示すマーク２１ｃ２のみが表示される（図５参照）。
【００３９】
この状態から、利用者が起動スイッチ２１ｃ１に触れて認証装置１０を起動させると、まず、複数の認証入力手段１１，１２の中から規定の順番に基づき最初に認証入力可能となる第一の有効認証入力手段が選択される。このとき、複数の告知手段１５，１６の中から第一の有効認証入力手段に対応する第一の有効告知手段が選択され、この第一の有効告知手段により第一の有効認証入力手段が認証入力可能となったことが利用者に告知される（図６、図７参照）。
【００４０】
第一の有効認証入力手段への認証入力がなされると、次に、残余の認証入力手段の中から規定の順番に基づき次に認証入力可能となる第二の有効認証入力手段が選択される。このとき、残余の告知手段の中から第二の有効認証入力手段に対応する第二の有効告知手段が選択され、この第二の有効告知手段により第二の有効認証入力手段が認証入力可能となったことが利用者に告知される（図６、図７参照）。なお、第一の有効認証入力手段の告知を残したまま第二の有効認証入力手段の告知を行ってもよい（図８参照）。
【００４１】
上記「規定の順番に基づき…選択」とは、複数の認証入力手段１１，１２が全て認証入力不能な状態から、複数の認証入力手段１１，１２の中から一つずつ認証入力可能とすることである。このとき、先に認証入力可能となっていた認証入力手段があれば、該認証入力手段は認証入力不能な状態に戻る。これにより、誤入力の可能性を無くすことができる。なお、先の認証入力手段を認証入力可能のままとしてもよい。
【００４２】
また、複数の告知手段１５，１６は、認証入力可能となる認証入力手段に応じて一つずつ選択されて告知を行うが、例えば告知表示等、利用者に煩わしさを感じさせない程度の告知であれば、先の告知を残したまま次の告知を行ってもよい。なお、告知手段は、告知表示を示すものに限らず、例えばランプの点灯および消灯で告知したり、視覚以外に聴覚や触覚に訴える告知を行うものでもよく、さらにこれらを組み合わせたものでもよい。
【００４３】
＜制御部の処理＞
次に、本実施形態の認証装置１０の制御部１８の処理の一例について図９を参照して説明する。
この処理は、認証装置１０の休止状態から起動スイッチ２１ｃ１が操作されることで開始する。認証装置１０の起動前は、複数の認証入力手段１１，１２（パスワード入力手段１１およびカード入力手段１２）の認証入力を不能とし、かつ複数の告知手段１５，１６による告知を停止している。
【００４４】
起動スイッチ２１ｃ１が操作されると、まず、複数の認証入力手段１１，１２の中から規定の順番に基づき、第一の有効認証入力手段としてパスワード入力手段１１を選択して認証入力可能とする（ステップＳ１）。同時に、複数の告知手段１５，１６の中から第一の有効認証入力手段に対応する第一の有効告知手段としてキー入力告知手段１５を選択して作動させる。すなわち、パスワード入力キー２１を発光させる（ステップＳ２）。これにより、利用者にパスワード入力手段１１が認証入力可能となったことを告知する。
【００４５】
次に、第一の有効認証入力手段への認証入力として、パスワード入力キー２１のテンキー２１ａに対するパスワード入力およびエンターキー２１ｃの操作がなされることで、この入力情報（入力されたパスワード）を認識して取得する（ステップＳ３）。その後、ステップＳ４では、第一の有効認証入力手段への入力情報が正しいか否か（入力されたパスワードが正しいか否か、すなわちパスワード認証が取れるか否か）を判定する。
【００４６】
ステップＳ４でＹＥＳ（パスワードが正）の場合、ステップＳ５に進み、第一の有効認証入力手段であるパスワード入力手段１１を認証入力不能とし、かつ残余の認証入力手段の中から規定の順番に基づき、第二の有効認証入力手段としてカード入力手段１２を選択して認証入力可能とする。同時に、第一の有効告知手段であるキー入力告知手段１５の作動を停止し、かつ残余の告知手段の中から第二の有効認証入力手段に対応する第二の有効告知手段としてカード読み取り告知手段１６を選択して作動させる。すなわち、パスワード入力キー２１の発光を消すとともにカード読み取りマーク２２を発光させる（ステップＳ６）。これにより、パスワード入力手段１１が認証入力不能となり、カード入力手段１２が認証入力可能となったことを利用者に告知する。
【００４７】
ステップＳ４でＮＯ（パスワードが不正）の場合、ステップＳ４ａで認証エラーの告知をした後、ステップＳ３の前段に戻る。認証エラーの告知は、例えばエラーマークの表示、告知手段１５，１６の点滅表示、および告知音の発生、等でなされる。
【００４８】
パスワード入力キー２１の発光は、パスワード認証が取れたことを条件に消される。このため、利用者にパスワード認証が取れたことを素早く案内することができる。なお、パスワード入力キー２１の発光は、パスワード入力が済んだことを条件に消されてもよい。
また、カード読み取りマーク２２の発光は、パスワード認証が取れたことを条件に実行される。このため、利用者にカード認証に移行したことを素早く案内することができる。なお、カード読み取りマーク２２の発光は、パスワード入力が済んだことを条件に実行されてもよい。
【００４９】
次に、第二の有効認証入力手段への認証入力として、カード読み取り部（アンテナ２９）へのカード情報の入力（読み取り）がなされることで、この入力情報（入力されたカード情報）を認識して取得する（ステップＳ７）。その後、ステップＳ８では、第二の有効認証入力手段への入力情報が正しいか否か（入力されたカード情報が正しいか否か、すなわちカード認証が取れるか否か）を判定する。
【００５０】
ステップＳ８でＹＥＳ（カード情報が正）の場合、複数の認証入力手段１１，１２の認証が取れたと判断し（ステップＳ９）、電気式施解錠装置５に解錠指令を出力する（ステップＳ１０）。ステップＳ８でＮＯ（カード情報が不正）の場合、ステップＳ８ａで認証エラーの告知をした後、ステップＳ７の前段に戻る。第二の有効認証入力手段への入力情報の正否は、第一の有効認証入力手段への入力情報との整合性を含んで判断される。
【００５１】
ここで、第一の有効認証入力手段がパスワード入力手段１１、第二の有効認証入力手段がカード入力手段１２である構成に限らず、これらの順番を逆にしてもよい。
このときの制御部１８の処理について図１０を参照して説明する。
起動スイッチ２１ｃ１が操作されて処理を開始すると、まず、複数の認証入力手段１１，１２の中から規定の順番に基づき、第一の有効認証入力手段としてカード入力手段１２を選択して認証入力可能とする（ステップＳ１’）。同時に、複数の告知手段１５，１６の中から第一の有効認証入力手段に対応する第一の有効告知手段として、カード読み取りマーク２２表示を選択して作動させる。すなわち、カード読み取りマーク２２を発光させる（ステップＳ２’）。これにより、利用者にカード入力手段１２が認証入力可能となったことを告知する。
【００５２】
次に、第一の有効認証入力手段への認証入力として、カード読み取り部（アンテナ２９）に対するカード情報入力がなされることで、この入力情報（入力されたカード情報）を認識して取得する（ステップＳ３’）。その後、ステップＳ４’では、第一の有効認証入力手段への入力情報が正しいか否か（入力されたカード情報が正しいか否か、すなわちカード認証が取れるか否か）を判定する。
【００５３】
ステップＳ４’でＹＥＳ（カード情報が正）の場合、ステップＳ５’に進み、第一の有効認証入力手段であるカード入力手段１２を認証入力不能とし、かつ残余の認証入力手段の中から規定の順番に基づき、第二の有効認証入力手段としてパスワード入力手段１１を選択して認証入力可能とする。同時に、第一の有効告知手段であるカード読み取り告知手段１６の作動を停止し、かつ残余の告知手段の中から第二の有効認証入力手段に対応する第二の有効告知手段としてキー入力告知手段１５を選択して作動させる。すなわち、カード読み取りマーク２２の発光を消すとともにパスワード入力キー２１を発光させる（ステップＳ６’）。これにより、カード入力手段１２が認証入力不能となり、パスワード入力手段１１が認証入力可能となったことを利用者に告知する。
【００５４】
ステップＳ４’でＮＯ（カード情報が不正）の場合、ステップＳ４ａ’で認証エラーの告知をした後、ステップＳ３’の前段に戻る。
【００５５】
カード読み取りマーク２２の発光は、カード認証が取れたことを条件に消される。このため、利用者にカード認証が取れたことを素早く案内することができる。なお、カード読み取りマーク２２の発光は、カード情報入力が済んだことを条件に消されてもよい。
また、パスワード入力キー２１の発光は、カード認証が取れたことを条件に実行される。このため、利用者にパスワード認証に移行したことを素早く案内することができる。なお、パスワード入力キー２１の発光は、カード情報入力が済んだことを条件に実行されてもよい。
【００５６】
次に、第二の有効認証入力手段への認証入力として、パスワード入力キー２１のテンキー２１ａに対するパスワード入力およびエンターキー２１ｃの操作がなされることで、この入力情報（入力されたパスワード）を認識して取得する（ステップＳ７’）。その後、ステップＳ８’では、第二の有効認証入力手段への認証入力の入力情報が正しいか否か（入力されたパスワードが正しいか否か、すなわちパスワード認証が取れるか否か）を判定する。
【００５７】
ステップＳ８’でＹＥＳ（パスワードが正）の場合、複数の認証入力手段１１，１２の認証が取れたと判断し（ステップＳ９’）、電気式施解錠装置５に解錠指令を出力する（ステップＳ１０’）。ステップＳ８’でＮＯ（パスワードが不正）の場合、ステップＳ８ａ’で認証エラーの告知をした後、ステップＳ７’の前段に戻る。第二の有効認証入力手段への入力情報の正否は、第一の有効認証入力手段への入力情報との整合性を含んで判断される。
【００５８】
またここで、認証入力手段１１，１２毎に認証が取れたか否かを判定する処理に限らず、複数の認証入力手段１１，１２の認証が取れたか否かをまとめて行う処理でもよい。すなわち、第一の有効認証入力手段の認証が取れたか否かに関わらず、第一の有効認証入力手段に代わって第二の有効認証入力手段を認証入力可能としてもよい。
【００５９】
このときの制御部１８の処理について図１１を参照して説明する。
起動スイッチ２１ｃ１が操作されて処理を開始すると、まず、複数の認証入力手段１１，１２の中から規定の順番に基づき、第一の有効認証入力手段を選択して認証入力可能とする（ステップＳ１”）。同時に、複数の告知手段１５，１６の中から第一の有効認証入力手段に対応する第一の有効告知手段を選択して作動させる（ステップＳ２”）。
【００６０】
次に、第一の有効認証入力手段への認証入力による入力情報を認識して取得する（ステップＳ３”）。この入力情報を取得後、第一の有効認証入力手段を認証入力不能とし、かつ残余の認証入力手段の中から規定の順番に基づき、第二の有効認証入力手段を選択して認証入力可能とする（ステップＳ４”）。同時に、第一の有効告知手段の作動を停止し、かつ残余の告知手段の中から第二の有効認証入力手段に対応する第二の有効告知手段を選択して作動させる（ステップＳ５”）。
【００６１】
第一の有効告知手段の作動は、第一の有効認証入力手段への認証入力がなされたことを条件に停止する。
また、第二の有効告知手段の作動は、第一の有効認証入力手段への認証入力がなされたことを条件に実行される。
【００６２】
次に、第二の有効認証入力手段への認証入力による入力情報を認識して取得する（ステップＳ６”）。その後、ステップＳ７”では、第一の有効認証入力手段および第二の有効認証入力手段への認証入力の入力情報がそれぞれ正しいか否かを判定する。
ステップＳ７”でＹＥＳ（入力情報が正）の場合、複数の認証入力手段１１，１２の認証が取れたと判断し（ステップＳ８”）、電気式施解錠装置５に解錠指令を出力する（ステップＳ９”）。ステップＳ７”でＮＯ（入力情報が不正）の場合、ステップＳ７ａ”で認証エラーの告知をした後、ステップＳ１”の前段に戻る。第一の有効認証入力手段および第二の有効認証入力手段への入力情報の正否は、これらの入力情報の整合性を含んで判断される。
【００６３】
図９、図１０の処理では、複数の認証入力手段１１，１２の認証を一つずつ取るので、一連の認証入力の確実性が増し、認証装置の利便性をより高めることができる。
図１１の処理では、認証が取れないときに複数の認証入力手段１１，１２の何れの入力情報が不正だったのか（換言すれば何れの入力情報が正だったのか）という情報を利用者（第三者）に与えずに済む。このため、特にパスワード入力が先の場合、入力したパスワードが正しいか否かの情報を利用者（第三者）に与えず、セキリュティ性をより高めることができる。
【００６４】
以上説明したように、本実施形態の認証装置１０は、複数の認証入力手段１１，１２と、認証入力手段１１，１２毎に設けられ、対応する認証入力手段１１，１２が認証入力可能であることを利用者に告知する複数の告知手段１５，１６と、複数の認証入力手段１１，１２および複数の告知手段１５，１６を制御し、かつ複数の認証入力手段１１，１２に認証入力の順番付けをした制御部１８と、を備え、制御部１８は、当該認証装置１０の起動前には、複数の認証入力手段１１，１２を認証入力不能とし、かつ複数の告知手段１５，１６による告知を停止し、当該認証装置１０の起動後には、複数の認証入力手段１１，１２の中から規定の順番に基づき第一の有効認証入力手段を選択して認証入力可能とし、かつ複数の告知手段１５，１６の中から第一の有効認証入力手段に対応する第一の有効告知手段を選択して利用者に告知を行い、第一の有効認証入力手段への認証入力後には、残余の認証入力手段の中から規定の順番に基づき第二の有効認証入力手段を選択して認証入力可能とし、かつ残余の告知手段の中から第二の有効認証入力手段に対応する第二の有効告知手段を選択して利用者に告知を行う。
【００６５】
この構成によれば、複数の認証入力手段１１，１２を備えてセキリュティ性を高めた上で、複数の認証入力手段１１，１２に対してどの順番で認証入力を行うか（複数の認証入力手段１１，１２の何れが認証入力可能な状態にあるか）については、認証入力手段１１，１２毎に設けられた複数の告知手段１５，１６によって認証入力の順番にある認証入力手段が告知されるため、利用者が操作の順番に迷うことなく認証入力を行うことができる。すなわち、複数の認証入力手段１１，１２を備えるとともにこれらに対する認証入力に順番付けをしながらも、使い勝手のよい認証装置１０を提供することができる。
【００６６】
また、複数の認証入力手段１１，１２と複数の告知手段１５，１６とを兼ねるタッチパネル２０を備え、複数の認証入力手段１１，１２は、パスワードの入力を認証入力とするパスワード入力手段１１と、認証カードの情報入力を認証入力とするカード入力手段１２と、を備え、パスワード入力手段１１の告知表示は、タッチパネル２０に表示されるパスワード入力キー２１であり、カード入力手段１２の告知表示は、タッチパネル２０に表示されるカード読み取りマーク２２である。
【００６７】
この構成によれば、パスワード認証とカード認証との二工程で認証を行う認証装置１０において、規定の順番に基づき最初に認証を行う認証入力手段が選択されると、選択した認証入力手段の認証入力に係る告知表示（パスワード入力キー２１またはカード読み取りマーク２２の一方）のみがタッチパネル２０に表示される。このとき、次に認証を行う認証入力手段の認証入力に係る告知表示（パスワード入力キー２１またはカード読み取りマーク２２の他方）は非表示のままとなる。このため、利用者は自然に最初の認証入力に案内される。そして、最初の認証入力の後に次の認証入力の告知表示を示すことで、利用者は迷うことなく次の認証入力に案内される。すなわち、利用者が操作手順に迷うことなく、パスワード認証およびカード認証を決められた順番で操作することが可能となり、高い利便性を発揮させることができる。
【００６８】
ここで、認証装置１０は、バッテリ７を含んだ一体のユニットとして構成されてもよい。
什器１に認証装置１０を設置する場合、外部から給電用の配線を通すと制約が生じるが、認証装置１０がバッテリ７を含んだ一体のユニットとして構成されていれば、配線の取り回しが不要となり、認証装置１０の設置を容易にすることができる。また、認証装置がバッテリ駆動であっても、起動前は複数の認証入力手段１１，１２および告知手段１５，１６が作動せず、かつ起動後も操作対象外の認証入力手段および告知手段は作動しないので、消費電力は小さい。このため、一度の充電や電池交換での利用回数を増すことができる。さらに、告知手段１５，１６が告知表示を示すものであっても、起動前には告知表示を消してすっきりした外観とすることが可能となり、高い意匠性を得ることができる。また、什器１に認証装置１０の配置スペースのみ設けておけば、認証装置１０の後付けを容易に行うことができる。
【００６９】
そして、上記した認証装置１０を開閉体３に備える什器１によれば、認証装置１０が該認証装置１０を備えた開閉体３を開くための認証用であることが明確であり、かつ什器１の外側に臨む開閉体３に認証装置１０を配置することで、利用者の使い勝手をより一層向上させることができる。
【００７０】
なお、本発明は前記実施形態に限定されることなく、本発明の主旨を逸脱しない範囲で種々の変更が可能である。
例えば、キー入力の検知方法は、静電容量方式に限らず、抵抗膜方式（感圧式）や超音波方式等、他の検出方式を用いてもよい。カード読み取りアンテナ２９は、基板２８の裏側に限らず、例えば表面シート２４および電極シート２５の直ぐ裏側に配置してもよい。ＩＣカードではなく磁気カードを用いてもよい。
また、パスワード入力キー２１やカード読み取りマーク２２の表示方法は、印字および光源の組み合わせに限らず、液晶や有機ＥＬを用いてもよい。この場合、パスワード入力キー２１やカード読み取りマーク２２の配置を変化させることも可能である。パスワード入力キー２１が数字以外の文字を示してもよい。
また、実施形態ではオフィス収納であるキャビネットを例に説明したが、本発明はキャビネットに限らず、例えばデスク、テーブル、ロッカー及びクローゼット等、種々の什器に適用してもよい。認証装置１０の配置は実施形態に限られず、かつ開閉体３ではなく筐体２に設けてもよい。認証装置１０等が商用電源を用いる構成でもよい。認証装置１０が３種以上の認証入力手段を備えてもよい。認証入力手段が複数別体に設けられたり告知手段が複数別体に設けられてもよい。パスワード入力およびカード情報読み取りによる認証に限らず、指紋や静脈パターン等による生体認証を用いてもよい。
【符号の説明】
【００７１】
１  什器
１１  パスワード入力手段（認証入力手段）
１２  カード入力手段（認証入力手段）
１５  キー入力告知手段（告知手段）
１６  カード読み取り告知手段（告知手段）
１８  制御部
２０  タッチパネル（表示部）
２１  パスワード入力キー（告知表示）
２２  カード読み取りマーク（告知表示）
【図１】
2018073295.tif 000003
【図２】
2018073295.tif 000004
【図３】
2018073295.tif 000005
【図４】
2018073295.tif 000006
【図５】
2018073295.tif 000007
【図６】
2018073295.tif 000008
【図７】
2018073295.tif 000009
【図８】
2018073295.tif 000010
【図９】
2018073295.tif 000011
【図１０】
2018073295.tif 000012
【図１１】
2018073295.tif 000013
【図１２】
2018073295.tif 000014